(57)【要約】【課題】分岐ケーブルの種類がどのようなものであっても把持できる多種ケーブル対応型の後分岐光接続箱を提供する。【解決手段】主ケーブル把持部と、分岐ケーブル把持部と、通過心線収納トレイと、分岐心線収納トレイとを備えた後分岐光接続箱において、前記分岐ケーブル把持部３０は、先端が膨らみ付け根がくびれた複数の凸片３２ａを並べて持つ金属板製のベース金具３２を光接続箱本体２の底板１３に固定し、ベース金具３２の凸片３２ａの上に分岐ケーブル９を載せ、分岐ケーブル９を凸片３２ａのくびれ部３２ｂに結束バンド３３で締め付け固定する構造である。分岐ケーブルの径や断面形状がどのようでもこれを把持することが可能となる。【選択図】図３
2008032971.tif 000002
【特許請求の範囲】
【請求項１】
光接続箱本体の底板に、主ケーブルを把持する主ケーブル把持部と、分岐側ケーブルを把持する第１の分岐ケーブル把持部と、主ケーブルから取り出した通過心線を収納する通過心線収納トレイと、主ケーブルから取り出した分岐すべき光ファイバ心線と分岐ケーブル側の光ファイバ心線との接続部及び余長を収納する分岐心線収納トレイとを設けた後分岐光接続箱において、
前記第１の分岐ケーブル把持部は、先端が膨らみ付け根がくびれた複数の凸片を並べて持つ金属板製のベース金具を光接続箱本体の底板に固定し、前記ベース金具の凸片の上に分岐ケーブルを載せ、分岐ケーブルを前記凸片のくびれた付け根部に結束バンドで締め付け固定した構造であることを特徴とする後分岐光接続箱。
【請求項２】
スロット型ケーブルである分岐ケーブルを把持する第２の分岐ケーブル把持部を備えるとともに、この第２の分岐ケーブル把持部は、光接続箱本体の底板に固定したベース部材に、概ね分岐ケーブル直径相当の間隔にて２つのバンド挿通穴を設けて、このバンド挿通穴に通した結束バンドで分岐ケーブルをベース部材の上で固定し、その前方に、分岐ケーブルのテンションメンバを把持するテンションメンバ把持部を設けたことを特徴とする請求項１記載の後分岐光接続箱。
【請求項３】
前記テンションメンバ把持部は、小径部と大径部とを有する段差状をなし大径部の外周面にネジ穴を設けた筒状部材と、この筒状部材の前記小径部を嵌合させる溝を有し前記大径部を係止させる、前記ベース部材に固定されたストッパとを備え、前記筒状部材に挿入したテンションメンバの先端部を前記ネジ穴にねじ込んだネジで筒状部材に固定し、前記筒状部材の前記小径部をストッパの溝に係合させて前記大径部を係止させる構造であることを特徴とする請求項２記載の後分岐光接続箱。
【発明の詳細な説明】
【技術分野】
【０００１】
この発明は、主ケーブルから光ファイバ心線を分岐させることが可能な後分岐光接続箱に関し、特に壁面に固定して用いる壁掛け形として好適な後分岐光接続箱に関する。
【背景技術】
【０００２】
図７は主ケーブルから光ファイバ心線を分岐させることが可能な従来の後分岐光接続箱１を示すもので、壁掛け形の後分岐光接続箱であり、光接続箱本体２の図示例では左側の中央に通過心線収納トレイ３を設け、その上下部に、主光ケーブル５を固定する主ケーブル把持金具６およびテンションメンバ把持金具７を設け、光接続箱本体２の中央部に融着部収納トレイ８を設け、光接続箱本体２の右側の下部に、分岐ケーブル９を固定する分岐ケーブル把持部１０を設けている。主ケーブル５から取り出した心線のうち分岐すべき心線（主ケーブル側分岐心線と呼ぶ）を５ａ、そのまま通過させる通過心線を５ｂで示す。また、テンションメンバを５ｃ、スロットロッドを５ｄで示す。分岐ケーブル９の光ファイバ心線（分岐側分岐心線と呼ぶ）を９ａで示す。
【０００３】
この種の従来の後分岐光接続箱１では、分岐ケーブル把持部１０が分岐ケーブル９に専用の把持金具を用いる構造であった。例えば図示例の場合、分岐ケーブル９がドロップケーブルの場合であるが、図８に示すようにこのドロップケーブル９を専用のドロップケーブル把持金具１１で把持し、このドロップケーブル把持金具１１を、光接続箱本体２側に取り付けた専用の取付金具１２の溝１２ａに上から差込み嵌合させることで、ドロップケーブル９を光接続箱本体２側に固定している。ドロップケーブル把持金具１１は、ペンチ等を用いて図９（イ）、（ロ）のようにドロップケーブル９を挟み込んで把持する。図示例のドロップケーブル９は単心ドロップケーブルである。後分岐光接続箱１の主要な部分は光接続箱本体２にネジで固定した底板１３に取り付けられており、前記取付金具１２は底板１３に取り付けた受け金具１４にネジで固定されている。
【発明の開示】
【発明が解決しようとする課題】
【０００４】
上記従来の後分岐光接続箱１のように、分岐ケーブル把持部１０が分岐ケーブルに専用の把持金具１１を用いる構造、例えば図示例のようにドロップケーブル９に専用の構造であると、例えばフロアケーブルやスロット型光ケーブル等を分岐ケーブルとする必要が生じた時に、それらのケーブルを把持できず、ケーブル分岐の施工に支障を来たす場合がある。
【０００５】
本発明は上記事情に鑑みてなされたもので、分岐ケーブルが如何なる種類のものであってもこれを把持することが可能な多種ケーブル対応型の後分岐光接続箱を提供すること    を目的とする。
【課題を解決するための手段】
【０００６】
上記課題を解決する本発明は、光接続箱本体の底板に、主ケーブルを把持する主ケーブル把持部と、分岐側ケーブルを把持する第１の分岐ケーブル把持部と、主ケーブルから取り出した通過心線を収納する通過心線収納トレイと、主ケーブルから取り出した分岐すべき光ファイバ心線と分岐ケーブル側の光ファイバ心線との接続部及び余長を収納する分岐心線収納トレイとを設けた後分岐光接続箱において、
前記第１の分岐ケーブル把持部は、先端が膨らみ付け根がくびれた複数の凸片を並べて持つ金属板製のベース金具を光接続箱本体の底板に固定し、前記ベース金具の凸片の上に分岐ケーブルを載せ、分岐ケーブルを前記凸片のくびれた付け根部に結束バンドで締め付け固定した構造であることを特徴とする。
【０００７】
請求項２は、請求項１の後分岐光接続箱において、スロット型ケーブルである分岐ケーブルを把持する第２の分岐ケーブル把持部を備えるとともに、この第２の分岐ケーブル把持部は、光接続箱本体の底板に固定したベース部材に、概ね分岐ケーブル直径相当の間隔にて２つのバンド挿通穴を設けて、このバンド挿通穴に通した結束バンドで分岐ケーブルをベース部材の上で固定し、その前方に、分岐ケーブルのテンションメンバを把持するテンションメンバ把持部を設けたことを特徴とする。
【０００８】
請求項３は、請求項２の後分岐光接続箱におけるテンションメンバ把持部が、小径部と大径部とを有する段差状をなし大径部の外周面にネジ穴を設けた筒状部材と、この筒状部材の前記小径部を嵌合させる溝を有し前記大径部を係止させる、前記ベース部材に固定されたストッパとを備え、前記筒状部材に挿入したテンションメンバの先端部を前記ネジ穴にねじ込んだネジで筒状部材に固定し、前記筒状部材の前記小径部をストッパの溝に係合させて前記大径部を係止させる構造であることを特徴とする。
【発明の効果】
【０００９】
本発明によれば、第１の分岐ケーブル把持部が、分岐ケーブルをベース金具の凸片に結束バンドで締め付け固定する構造なので、分岐ケーブルがいわゆるフロアケーブルやスロット型光ケーブルその他、どのような外径や断面形状のケーブルであってもそれを把持することができる。
したがって、ケーブル分岐施工の現場で、フロアケーブルやスロット型光ケーブル等を分岐ケーブルとする必要が生じた時に、支障なくそれに対応できる。
【発明を実施するための最良の形態】
【００１０】
以下、本発明を実施した後分岐光接続箱について、図面を参照して説明する。
【実施例１】
【００１１】
図１は本発明の一実施例の後分岐光接続箱２１の蓋２２を外した状態で示した正面図、図２は図１の後分岐光接続箱２１の左側から見た内部構造を要部について示した図である。この後分岐光接続箱２１は、壁掛け形の後分岐光接続箱であり、光接続箱本体２の図示例では左側の中央に通過心線収納トレイ３を設け、その上下部に、主ケーブル（既設の光ケーブル等）５を固定する主ケーブル把持金具６およびそのテンションメンバ５ｃを把持するテンションメンバ把持金具７を設け、光接続箱本体２の中央部に融着部収納トレイ８を設け、光接続箱本体２の右側の下部に、図示例ではドロップケーブルである分岐ケーブル９を固定する第１の分岐ケーブル把持部３０、及びスロット型光ケーブルである分岐ケーブル１９を把持する第２の分岐ケーブル把持部３１を設けている。
主ケーブル５から取り出した心線のうち分岐すべき心線（主ケーブル側分岐心線と呼ぶ）を５ａ、そのまま通過させる通過心線を５ｂで示す。また、主ケーブル５のスロットロッドを５ｄで示す。ドロップケーブルである分岐ケーブル（以下場合によりドロップケーブルと呼ぶ）９の光ファイバ心線（分岐側分岐心線と呼ぶ）を９ａで示す。また、スロット型光ケーブルである分岐ケーブル（以下場合によりスロット型光ケーブルと呼ぶ）１９の光ファイバ心線（同じく分岐側分岐心線と呼ぶ）を１９ａで示す。スロット型光ケーブル１９のスロットロッドを１９ｂ、テンションメンバを１９ｃで示す。分岐側分岐心線９ａ、１９ａはクランプ２０で光接続箱本体２に保持する。図７と同じ符号を付けた部分は概ね図７の後分岐光接続箱１と同じ構造である。
この後分岐光接続箱２１の主要な部分、すなわち、通過心線収納トレイ３、主ケーブル把持金具６、テンションメンバ把持金具７、融着部収納トレイ８、第１の分岐ケーブル把持部３０、第２の分岐ケーブル把持部３１は、光接続箱本体２にネジ等で固定した底板１３に取り付けられている。
【００１２】
ドロップケーブルである分岐ケーブル９を把持する前記第１の分岐ケーブル把持部３０は、図３、図４に示すように、先端が膨らみ付け根がくびれた複数の凸片３２ａを並べて持つ金属板製のベース金具３２を備えている。ベース金具３２は例えば金属板の板金加工で製作したもので、両側に設けた脚部３２ｃを光接続箱本体２の底板１３に溶接で固定している。そして、分岐ケーブル９をこのベース金具３２の凸片３２ａの上に載せ、凸片３２ａの付け根のくびれ部３２ｂに結束バンド３３で締め付け固定している。この結束バンド３３は、バンド本体（帯状部分）３３ａの一端に、バンド係止穴のあるバンド係止部３３ｂを持ち、バンド本体３３ａをバンド係止穴に通してリング状にする時に、任意のリング径で係止可能な構造のもの（いわゆるインシュロックタイ）である。
【００１３】
上記のように、第１の分岐ケーブル把持部３０は、分岐ケーブル９をベース金具３２の凸片３２ａに結束バンド３３で締め付け固定する構造なので、分岐ケーブルがドロップケーブル９に限らずいわゆるフロアケーブルやスロット型光ケーブルその他、どのような外径や断面形状のケーブルであってもそれを把持することができる。
したがって、ケーブル分岐施工の現場で、フロアケーブルやスロット型光ケーブル等を分岐ケーブルとする必要が生じた時に、支障なくそれに対応できる。
【実施例２】
【００１４】
スロット型光ケーブルである分岐ケーブル１９を把持する前記第２の分岐ケーブル把持部３１は、図３、図５、図６に示すように、光接続箱本体２の底板１３に固定した受け金具４４にプラスチック製のベース部材４２をネジ４９で固定し、このベース部材４２に、概ね分岐ケーブル直径相当の間隔にて２つのバンド挿通穴４２ａを設けて、このバンド挿通穴４２ａに通した結束バンド４３で分岐ケーブル１９をベース部材４２の上で固定し、その前方に、分岐ケーブル１９のテンションメンバ１９ｃを把持するテンションメンバ把持部４５を設けた構造である。
前記テンションメンバ把持部４５は、小径部４６ａと大径部４６ｂとを有する段差状をなす筒状部材４６と、この筒状部材４６の小径部４６ａを嵌合させる溝４７ａを有するとともに前記ベース部材４２に一体に設けたストッパ４７とからなる。筒状部材４６は、大径部４６ｂの外周面にネジ穴４６ｃを設けており、筒状部材４６に挿入したテンションメンバ１９ｃの先端部を前記ネジ穴４６ｃにねじ込んだネジ４８で筒状部材４６に固定し、筒状部材４６の小径部４６ａをストッパ４７の溝４７ａに上から嵌合させて筒状部材４６の大径部４６ｂを係止させる。これにより、テンションメンバ１９ｃをストッパ４７で止めることができる。結束バンド４３は前記結束バンド３３と概ね同じ構造であり、バンド本体４３ａの一端に、バンド係止穴のあるバンド係止部４３ｂを持ち、バンド本体４３ａをバンド係止穴に通してリング状にする時に、任意のリング径で係止可能な構造のものである。
なお、前記第１の分岐ケーブル把持部３０もスロット型光ケーブル１９を把持することができるが、この実施例では、図示の通り、テンションメンバ１９ｃも把持できる構造としたスロット型光ケーブル１９用の把持部（第２の分岐ケーブル把持部３１）を設けたものである。
【００１５】
本発明を適用する後分岐光接続箱は、実施例のような通過心線用トレイ３や融着部収納トレイ８を持つものに限定されるものではない。主ケーブル側分岐心線５ａと分岐側分岐心線９ａ、１９ａとの接続が融着接続でなくコネクタ接続によるＳＣアダプタ付きの成端箱、その他種々の後分岐光接続箱に適用可能である。
【図面の簡単な説明】
【００１６】
【図１】本発明の一実施例の後分岐光接続箱の蓋を外した状態で示した正面図である。
【図２】図１の後分岐光接続箱の左側から見た内部構造を要部について示した図である。
【図３】図１における分岐ケーブル把持部近傍の拡大図である。
【図４】（イ）は図３の要部拡大図、（ロ）は（イ）の左側面図、（ハ）は（イ）のＡ−Ａ断面図である。
【図５】図３における第２の分岐ケーブル把持部の斜視図である。
【図６】図５の第２の分岐ケーブル把持部で分岐ケーブルを把持する際の作業要領を説明する斜視図である。
【図７】従来の後分岐光接続箱の蓋を外した状態で示した正面図である。
【図８】図７における分岐ケーブル把持部の要部を示す斜視図である。
【図９】図８における分岐ケーブル把持金具の詳細構造、及び分岐ケーブルを分岐ケーブル把持金具で把持する要領を説明する図である。
【符号の説明】
【００１７】
２  光接続箱本体
３  通過心線用トレイ
５  主ケーブル
５ａ  主ケーブル側分岐心線
５ｂ  通過心線
５ｃ  テンションメンバ
５ｄ  スロットロッド
６  主ケーブル把持金具
７  テンションメンバ把持金具
８  融着部収納トレイ
９  ドロップケーブル（分岐ケーブル）
９ａ  分岐側分岐心線
１９  スロット型光ケーブル（分岐ケーブル）
１９ａ  分岐側分岐心線
１９ｂ  スロットロッド
１９ｃ  テンションメンバ
１３  底板
２１  光接続箱
２２  蓋
３０  分岐ケーブル把持部（ドロップケーブル把持部）
３１  分岐ケーブル把持部（スロット型光ケーブル把持部）
３２  ベース金具
３２ａ  凸片
３２ｂ  くびれ部
３２ｃ  脚部
３３、４３  結束バンド
３３ａ、４３ａ  バンド本体
３３ｂ、４３ｂ  バンド係止部
４２  ベース部材（プラスチック製のベース部材）
４２ａ  バンド挿通穴
４５  テンションメンバ把持部
４６  筒状部材
４６ａ  小径部
４６ｂ  大径部
４６ｃ  ネジ穴
４７  ストッパ
４７ａ  溝
４８、４９  ネジ
【図１】
2008032971.tif 000003
【図２】
2008032971.tif 000004
【図３】
2008032971.tif 000005
【図４】
2008032971.tif 000006
【図５】
2008032971.tif 000007
【図６】
2008032971.tif 000008
【図７】
2008032971.tif 000009
【図８】
2008032971.tif 000010
【図９】
2008032971.tif 000011